(57)【要約】      （修正有）【課題】装置と作業プロセスの簡素化を実現し、水の消費とエネルギー消費を軽減できると共に、処理効率が向上するテーパー形状を有する固液分離装置を提供する。【解決手段】固液分離装置は、分離装置本体と、分離装置本体の内部に設けられた浄水収集タンク４と、浄水収集タンクの外側に設けられた環状の廃水収集タンク５と、浄水収集タンクの上側に設けられた少なくとも一層のテーパー形状の篩２と、最上層のテーパー形状の篩の上側に装着され、内部が中空であり、上端が給水管に連接する弧形テーパー部材３と、を備える。テーパー形状の篩２を設けることによって、汚水が給水管から弧形テーパー部材３に流れ込み、弧形テーパー部材によって水流を分散させた後に、テーパー形状の篩に進入し濾過が行われる。【選択図】図３
0003195378.tif 000002
【実用新案登録請求の範囲】
【請求項１】
分離装置本体と、
前記分離装置本体の内部に設けられた浄水収集タンクと、
前記浄水収集タンクの外側に設けられた環状の廃水収集タンクと、
前記浄水収集タンクの上方に設けられたテーパー形状の篩と、
内部が中空であり、前記テーパー形状の篩の上側に装着され、上端が給水管に連接された孤形テーパー部材と、
を備えることを特徴とする、テーパー形状を有する固液分離装置。
【請求項２】
前記孤形テーパー部材の内壁と最上層の前記テーパー形状の篩の外壁との間に、入口の断面積が出口の断面積より大きい水供給経路が形成されていることを特徴とする請求項１記載のテーパー形状を有する固液分離装置。
【請求項３】
前記孤形テーパー部材と最上層の前記テーパー形状の篩との接続位置にらせん構造を設け、
前記らせん構造は前記孤形テーパー部材に設けるスクリューねじ又はねじ穴と、最上層の前記テーパー形状の篩に設けるねじ穴又はスクリューねじを含むことを特徴とする請求項１記載のテーパー形状を有する固液分離装置。
【請求項４】
上層に位置する前記テーパー形状の篩の溝穴が次の層の前記テーパー形状の篩の溝穴より大きいことを特徴とする、請求項１、２又は３記載のテーパー形状を有する固液分離装置。
【請求項５】
前記浄水収集タンクの底部外壁に排水口を取り付け、前記排水口に排水エルボ又は排水直管を取り付け、前記廃水収集タンクの側壁に汚水排出口を設けることを特徴とする、請求項１、２又は３記載のテーパー形状を有する固液分離装置。
【請求項６】
最上層の前記テーパー形状の篩の上端に分流構造が設けられていることを特徴とする、請求項１、２又は３記載のテーパー形固液分離装置。
【考案の詳細な説明】
【技術分野】
【０００１】
本考案は、水処理プロセスにおいて、原水処理、汚水処理及び大規模な魚介類養殖場などの廃水に対し固体と液体の分離処理に適用できる、テーパー形状を有する固液分離装置に関する。
【背景技術】
【０００２】
大規模な水産養殖や水処理などの分野において、固液分離は良く使用されるプロセスの一つであり、かかるプロセスの稼働効果はその後のプロセスの負荷及び処理効率に直接関わる。
【考案の概要】
【考案が解決しようとする課題】
【０００３】
水処理プロセスにおいて、大規模な特に魚介類養殖場などにおいて、廃水の固液分離プロセスでよく使用される設備としては、フィルタ、シーブベンド、マイクロストレーナなどがある。しかし、これらのよく用いられる装置には、主に（１）処理効率の問題、（２）エネルギー消費の問題、（３）清掃が困難であり、保守作業が大変である、といった課題が存在している。
【課題を解決するための手段】
【０００４】
本考案の目的は、テーパー形状を有する固液分離装置を提供する。
【０００５】
本考案は、技術課題を解決する手段として、分離装置本体と、分離装置本体の内部に設ける浄水収集タンクと、浄水収集タンクの外側に設けられた環状の廃水収集タンクと、浄水収集タンクの上方に設けられた少なくとも一層を有するテーパー形状の篩と、最上層のテーパー形状の篩の上側に装着され、内部が中空であり、上端が給水管に連接された弧形テーパー部材とを備える、テーパー形状を有する固液分離装置を提供する。
【０００６】
前述技術のさらなる改善手段として、孤形テーパー部材の内壁と最上層のテーパー形状の篩の外壁との間に、入口の断面積が出口の断面積より大きい水供給経路を形成してもよい。
【０００７】
前述技術のさらなる改善手段として、前述孤形テーパー部材と最上層のテーパー形状の篩との接続位置にらせん構造を設け、かかるらせん構造は孤形テーパー部材に設けるスクリューねじ又はねじ穴と、最上層のテーパー形状の篩に設けるねじ穴またはスクリューねじを含んでもよい。
【０００８】
前述技術のさらなる改善手段として、上層に位置するテーパー形状の篩の溝穴が次の層のテーパー形状の篩の溝穴より大きくしてもよい。
【０００９】
前述技術のさらなる改善手段として、浄水収集タンクの底部外壁に排水口を設け、かかる排水口に排水エルボ又は排水直管を取り付け、廃水収集タンクの側壁に汚水排出口を設けてもよい。
【００１０】
前述技術のさらなる改善手段として、最上層のテーパー形状の篩の上端に分流構造が設けられていてもよい。
【考案の効果】
【００１１】
本考案はテーパー形状の篩を設けることによって、汚水が給水管から弧形テーパー部材に流れ込み、弧形テーパー部材によって水流を分散した後テーパー形状の篩に進入して濾過が行われる。これによって、固液分離装置とその作業プロセスの簡素化を実現し、水の消費を軽減できると共に、処理効率を向上できる。さらに、構造が単純で、無駄はなく、エネルギー消費を大幅に軽減できる効果が得られる。
【図面の簡単な説明】
【００１２】
【図１】本考案の構造を示す図である。
【図２】本考案の構造を示す分解図である。
【図３】本考案の断面を示す図である。
【図４】本考案のらせん構造を示す図である。
【図５】複数のテーパー形状の篩を取り付けたときの本考案の構造を示す図である。
【考案を実施するための形態】
【００１３】
以下、図式と実施例とを合わせて本考案の実施形態を詳しく説明する。
【００１４】
図１ないし５を参照する。本考案のテーパー形状を有する固液分離装置は、分離装置本体１と、分離装置本体１の内部に設けられた浄水収集タンク４と、浄水収集タンク４の外側に設けられた環状の廃水収集タンク５と、浄水収集タンク４の上側に設けられた、少なくとも一層のテーパー形状の篩２と、最上層のテーパー形状の篩２の上側に設けられ、内部が中空であり、上端が給水管と連接する孤形テーパー部材３と、を備える。
【００１５】
本考案は、テーパー形状の篩２を設けることによって、汚水が給水管から弧形テーパー部材３に流れ込み、弧形テーパー部材３によって水流を分散した後テーパー形状の篩２に進入し濾過が行われる。これによって、固液分離装置とその作業プロセスの簡素化を実現し、水の消費を軽減できると共に、処理効率を向上される。さらに、構造が単純で、無駄はなく、エネルギー消費を大幅に軽減できる。
【００１６】
さらなる一つの好ましい実施形態として、孤形テーパー部材３の内壁と最上層のテーパー形状の篩２の外壁との間に、入口の断面積が出口の断面積より大きい水供給経路４１を形成する。このように、断面積を次第に絞ることは、水圧と水流を安定させるために有利である。通過する水の面積が増大することによって、流速は遅くなり、孤形テーパー部材３の下端における圧力は次第に小さくなる。さらに、孤形テーパー部材３と最上層のテーパー形状の篩２の上端に設けたらせん構造４２を利用して、孤形テーパー部材３とテーパー形状の篩２との距離を調節し、通過する水の流速または圧力を調節することにより、固体と液体の分離がさらに促進される。
【００１７】
さらなる一つの好ましい実施形態として、孤形テーパー部材３と最上層のテーパー形状の篩２との接続位置にらせん構造４２を設ける。らせん構造４２は孤形テーパー部材３に設けたスクリューねじ又はねじ穴と、最上層のテーパー形状の篩２に設けたねじ穴又はスクリューねじを含む。さらに、孤形テーパー部材３と最上層のテーパー形状の篩２の上端のらせん構造４２を用いて、孤形テーパー部材３とテーパー形状の篩２との間の距離を調節し、通過する水の流速または圧力を調節することによって、固体と液体の分離がさらに促進される。
【００１８】
さらなる一つの好ましい実施形態として、上層のテーパー形状の篩２の溝穴が次の層のテーパー形状の篩２の溝穴より大きい。複数のテーパー形状の篩２を設けるときは、外側から内側へ向かってテーパー形状の篩２の溝穴のサイズを次第に絞ることによって、処理水を繰り返し濾過した後により清浄になる。
【００１９】
さらなる一つの好ましい実施形態として、浄水収集タンクの底部外壁に排水口６を設け、排水口６に排水エルボまたは排水直管を取り付ける。当然ながら、排水口６に取り付けるパイプは使用者が需要に応じて、自ら設計して取り付けることができる。排水口６と排水エルボまたは排水直管によって濾過した浄水が次のプロセスに送られる。廃水収集タンクの側壁には汚水排出口７を設け、汚水排出口７から濾過した後の汚水を集めて、それに対応する処理が行われる。
【００２０】
さらなる一つの好ましい実施形態として、最上層のテーパー形状の篩２の上端に分流するための分流構造４３を取り付け、分流構造４３によって、処理水を安定的に水供給経路４１に流す。
【００２１】
以上、本考案の好ましい実施形態について具体的に説明したが、本考案はこの実施形態に限られるものではなく、本技術分野をよく知る技術者が、本考案の精神に反しない前提の下で様々な変形例や置換例を創出可能である。これら変形例や置換例も本出願で権利を要求する請求の範囲内にある。
【符号の説明】
【００２２】
１    分離装置本体
２    テーパー形状の篩
３    弧形テーパー部材
４    浄水収集タンク
４１  水供給経路
４２  らせん構造
４３  分流構造
５    廃水収集タンク
６    排水口
７    汚水排出口
【図１】
0003195378.tif 000003
【図２】
0003195378.tif 000004
【図３】
0003195378.tif 000005
【図４】
0003195378.tif 000006
【図５】
0003195378.tif 000007